(57)【要約】【課題】曲面形状の羽根部材を有する光量調整装置の製造を容易にすること。【解決手段】光量調整装置（２４）は、曲面形状を有する羽根部材（２６）と、前記羽根部材を搭載する曲面部（２７ｂ）と、前記曲面部に形成され前記羽根部材に設けられた穴部（２６ａ）と係合する軸部（２７ａ）と、を備えた部材（２７）と、を有し、前記軸部は、前記曲面部が有する曲面の法線方向とは異なる方向に延びることを特徴とする。【選択図】図６
2015072419.tif 000002
【特許請求の範囲】
【請求項１】
曲面形状を有する羽根部材と、
前記羽根部材を搭載する曲面部と、前記曲面部に形成され前記羽根部材に設けられた穴部と係合する軸部と、を備えた部材と、を有し、
前記軸部は、前記曲面部が有する曲面の法線方向とは異なる方向に延びることを特徴とする光量調整装置。
【請求項２】
前記軸部は、前記羽根部材が形成する開口の中心と前記曲面部が有する曲面の中心とを通る光軸と平行な方向に延びることを特徴とする請求項１に記載の光量調整装置。
【請求項３】
前記曲面部には複数の軸部が形成され、
前記複数の軸部は、互いに同じ方向に延びることを特徴とする請求項１または２に記載の光量調整装置。
【請求項４】
前記穴部は、前記羽根部材の回転中心軸を有する円形状の穴部であり、
前記軸部の光軸直交方向の断面形状は、前記羽根部材の前記穴部を光軸方向へ投影した形状に対応する形状であることを特徴とする請求項２に記載の光量調整装置。
【請求項５】
前記断面形状は、楕円形状であることを特徴とする請求項４に記載の光量調整装置。
【請求項６】
前記楕円形状の長径は、前記穴部の直径と等しいことを特徴とする請求項５に記載の光量調整装置。
【請求項７】
前記穴部の中心をとおり前記曲面部が有する曲面の法線方向に延びる軸と前記光軸とがなす角をＡとすると、
前記楕円形状の短径は、前記長径にｃｏｓＡを乗じた寸法から前記羽根部材の厚みにｓｉｎＡを乗じた寸法を差し引いた寸法より小さいことを特徴とする請求項６に記載の光量調整装置。
【請求項８】
前記軸部は、楕円柱形状を有することを特徴とする請求項１ないし７のいずれか一項に記載の光量調整装置。
【請求項９】
前記羽根部材は、絞り羽根であることを特徴とする請求項１ないし８のいずれか一項に記載の光量調整装置。
【請求項１０】
前記羽根部材は、シャッター羽根であることを特徴とする請求項１ないし８のいずれか一項に記載の光量調整装置。
【請求項１１】
レンズ部材と、
請求項１ないし１０のいずれか一項に記載の光量調整装置と、を有することを特徴とする光学機器。
【請求項１２】
撮像素子と、
請求項１１に記載の光学機器と、を有することを特徴とする撮像装置。
【発明の詳細な説明】
【技術分野】
【０００１】
本発明はカメラのシャッターや絞りのような光量調整装置およびそれを備えた光学機器、撮像装置に関する。
【背景技術】
【０００２】
特許文献１には、従来平面状に形成されていたシャッタ羽根を、球面状に形成することにより、鏡筒径やカメラ本体の大きさを小さくできる球面シャッターについて開示されている。
【先行技術文献】
【特許文献】
【０００３】
【特許文献１】特開平２−１５３３３４号公報
【発明の概要】
【発明が解決しようとする課題】
【０００４】
しかしながら、特許文献１の球面シャッターは、球面状の複数のシャッタ羽根を回転させる複数の回転軸が、球面状のシャッタ羽根の形成する球面状体の中心を向いている。つまり、特許文献１の複数の回転軸は、球面状のシャッタ羽根の形成する球面状体の法線方向に延びるように形成される。したがって、このような回転軸を有する球面シャッターの部品を製造する場合は、特別な加工工程が必要になる。特に、一般的な金型により樹脂成型されるシャッターにおいては、回転軸の向きに合わせてスライドする、いわゆるスライド駒が、回転軸の数と同じだけ必要であり、金型構造の複雑化、金型の高コスト化、金型メンテナンス工程増を招いていた。また、スライド駒を使うことで、金型の合わせ部にできるパーティングラインにより、シャッタ羽根の動作が阻害されるおそれがある。さらに、スライド駒によって成型される部分にはスライド方向に延長する形状しか形成できないため、光軸方向へ延長する通常の形状部を成型できず、シャッターユニットの設計を困難にしていた。
【０００５】
本発明は、上記課題を鑑み、曲面形状の羽根部材を有する光量調整装置の製造を容易にすることを例示的目的とする。
【課題を解決するための手段】
【０００６】
本発明の一側面としての光量調整装置は、曲面形状を有する羽根部材と、前記羽根部材を搭載する曲面部と、前記曲面部に形成され前記羽根部材に設けられた穴部と係合する軸部と、を備えた部材と、を有し、前記軸部は、前記曲面部が有する曲面の法線方向とは異なる方向に延びることを特徴とする。
【０００７】
本発明の他の目的及び特徴は、以下の実施例において説明される。
【発明の効果】
【０００８】
本発明によれば、曲面形状の羽根部材を有する光量調整装置の製造を容易にすることができる。
【図面の簡単な説明】
【０００９】
【図１】本発明の第１の実施例を適用した撮影状態（テレ状態）の光学機器の断面図である。
【図２】本発明の第１の実施例を適用した沈胴状態の光学機器の断面図である。
【図３】本発明の第１の実施例を適用した光学機器の分解斜視図である。
【図４】本発明の第１の実施例を適用した光量調整装置の正面図である。
【図５】本発明の第１の実施例を適用した光量調整装置の断面図である。
【図６】本発明の第１の実施例を適用した光量調整装置の分解斜視図である。
【図７】球面形状の羽根部材を有する光量調整装置の概念図である。
【図８】本発明の第１の実施例を適用した光量調整装置の羽根部材の回転軸の説明図である。
【図９】図８に示す羽根部材の回転軸との嵌合部を拡大した拡大図である。
【図１０】本発明の第１の実施例を適用した光学機器を備えた撮像装置の斜視図である。
【発明を実施するための形態】
【００１０】
以下、図１〜図１０を参照して本発明の実施例における光量調整装置およびそれを備えた光学機器、撮像装置について詳細に説明する。
【実施例１】
【００１１】
図１は本発明の第１の実施例を適用したレンズ鏡筒（光学機器）の撮影時（テレ状態）の断面図である。図２は本発明の第１の実施例を適用したレンズ鏡筒の非撮影時（沈胴状態）の断面図である。図３は本発明の第１の実施例を適用したレンズ鏡筒の分解斜視図である。
【００１２】
図１および図２に示すように、本実施例のレンズ鏡筒においては３群の撮影レンズ群で構成される。３群の撮影レンズ群（レンズ部材、光学部材）は、被写体側から順に、１群レンズ１１、２群レンズ２１、３群レンズ３８を有する。１群レンズ１１は１群筒１２に、２群レンズ２１は２群ホルダ２２に、３群レンズ３８は３群ホルダ３９に保持されている。これらレンズ群によって結像される被写体像は、３群レンズ３８の後段（像面側）に設けられた撮像素子４１によって光電変換され、不図示のカメラシステムによって記録される。撮像素子４１は撮像素子ホルダ４２に保持され、撮像素子４１の被写体側前方には撮像素子ホルダ４２に保持された光学フィルター４４が配置される。
【００１３】
次に、レンズ鏡筒の構成について詳細に説明する。
【００１４】
固定筒４３は撮像素子ホルダ４２に固定保持される筒状をなす部品である。中間筒ユニット５１は、筒状の部品である中間回転筒５２と、中間回転筒５２の内径に嵌合する中間直進筒５３と、で構成される。中間回転筒５２と中間直進筒５３は、相対的に光軸回りに回転可能だが光軸方向へは相対移動できないように係合されている。中間回転筒５２の外周面には光軸を中心とした円周上に３本のカムフォロワーが等間隔に植設されており、これらが固定筒４３の内面に設けられたカムに係合することで、カムの軌跡に従って光軸方向へ回転しながら進退するよう構成される。一方、中間直進筒５３は、固定筒４３に対して光軸方向へのみ進退可能に構成され、光軸周りの回転はできないように支持される。なお、中間回転筒５２の光軸回りの回転は不図示のモータによってなされる。
【００１５】
１群筒１２は外周面に光軸を中心とした円周上に等間隔に配置された３つのカムフォロワ１３を有する。各カムフォロワ１３は中間回転筒５２の内周面に設けられた１群カムに係合するとともに、中間直進筒５３に設けられた光軸方向に延びる１群直進溝５４に係合する。これにより、１群筒１２は、中間直進筒５３の１群直進溝５４により、光軸方向へ進退可能に支持されるとともに、中間回転筒５２の回転により、１群カムのカム軌跡に応じて光軸方向へ変位する。
【００１６】
２群ホルダ２２は外周面から光軸直交方向に延びる３つのカムフォロワ２３を有する。この３つのカムフォロワ２３は、２群ホルダ２２の光軸を中心とした円周上に等間隔に配置される。各カムフォロワ２３は中間回転筒５２の内周面に設けられた２群カムに係合するとともに、中間直進筒５３に設けられた光軸方向に延びる２群直進溝５５に係合する。これにより、２群ホルダ２２は、中間直進筒５３の２群直進溝５５により、光軸方向へ進退可能に支持されるとともに、中間回転筒５２の回転により、２群カムのカム軌跡に応じて光軸方向へ変位する。また、２群ホルダ２２の前側（被写体側）には後述する絞りユニット２４が固定される。絞りユニット２４はレンズ鏡筒の外部と例えばフレキシブルプリント基板によって電気的に接続された絞りモータにより駆動される。
【００１７】
本実施例の絞りユニット２４（光量調整装置）は、所定の球面にそって回動する曲面形状を有する複数の絞り羽根２６（羽根部材、遮蔽部材）を備える。本実施例では、この絞り羽根２６は２群レンズ２１の被写体側の球面形状（曲面形状）を有し、該球面形状に沿うように動作する。ただし、本発明の絞り羽根２６はこれに限定されず、例えば、１群レンズ１１の像面側の球面形状や、１群レンズ１１の像面側の球面と２群レンズ２１の被写体側の球面の間の球面形状を有していてもよい。これにより、図２に示す沈胴状態では、１群レンズ１１と２群レンズ２１の間の２つの球面で挟まれた空間に絞りユニット２４を配置することができ、沈胴長を短縮することができる。また、図１に示す撮影状態では、１群レンズ１１と２群レンズ２１の間隔を、絞りユニット２４の絞り羽根２６が平面形状であるときよりも狭めることができるので焦点距離の変化を大きくすることができる。絞りユニット２４の詳しい説明については後述する。
【００１８】
３群ホルダ３９は撮像素子ホルダ４２に植設された光軸方向に延びる２本のガイドバー４５に嵌合することで、光軸回りの移動を規制されながら光軸方向へ移動可能に支持される。本実施例のレンズ鏡筒は前述の１群筒１２と２群ホルダ２２の光軸方向の変位に応じて焦点距離が変わるズームレンズであり、３群ホルダ３９の光軸方向への移動によりフォーカシングが行われる。なお、３群ホルダ３９は不図示のフォーカスモータにより光軸方向へ進退される。
【００１９】
以上の様に構成されたレンズ鏡筒は、撮像装置に組み込まれ、撮像装置に設けられたコントロールユニット（制御手段）を通じてズーム駆動、フォーカス駆動および絞り駆動がなされる。例えば前述のとおり、中間回転筒５２は不図示のモータによって回転するので、該モータの回転量をコントロールすることで中間回転筒５２を任意の回転位相に置くことができる。これにより、１群レンズ１１および２群レンズ２１を任意の位置に置くことができるので、使用者の所望の焦点距離での撮影が可能になる。また、不図示のフォーカスモータにより３群レンズ３８を変位させ、ピントのあった被写体像を得ることができる。さらに、絞りユニット２４を駆動することで撮像素子４１に入る光量を調節し、露出の適正な被写体像を得ることができる。
【００２０】
さらに、レンズ鏡筒の非撮影時には、３群ホルダ３９を最も撮像面に近い位置に移動させるとともに、１群筒１２および２群ホルダ２２を最も近接させた状態（図２に示す沈胴位置）にすることで、鏡筒全体をコンパクトにすることができる。
【００２１】
このように本実施例のレンズ鏡筒は２段繰出しする構成となっており、撮影時と沈胴時で鏡筒全長を変化させることができる。
【００２２】
次に、絞りユニット２４について図４、図５および図６を用いて詳細に説明する。図４は絞りユニット２４が設けられた２群ホルダ２２の正面図であり、絞りユニット２４がビス２５により締結されている。図５は図４の２群ホルダ２２と絞りユニット２４の断面図である。図６は２群ホルダ２２と絞りユニット２４の分解斜視図である。
【００２３】
絞り羽根２６は曲面形状に湾曲したシート状材料から構成される。絞り羽根２６は、光軸を中心とした円周上に等間隔で配置され、６枚一組で絞り開口を形成する。絞り羽根２６には絞り羽根の回転中心となる円形状の回転穴２６ａが形成されている。また、絞り羽根２６の像面側には該絞り羽根２６が配置される土台である絞り地板２７（ベース部材）が設けられる。絞り地板２７には、絞り羽根２６を搭載し、絞り羽根２６の曲面形状に対応して、該曲面形状に近似した（沿った）曲面形状を有する曲面部２７ｂが形成される。具体的には、曲面部２７ｂは、絞り羽根２６の曲面形状の半径よりも少しだけ小さい半径で、かつ、光軸上に中心を持つ曲面部である。そして、曲面部２７ｂには、絞り羽根２６の回転穴２６ａ（穴部）と係合する光軸方向（光軸と平行な方向）に延びる回転軸２７ａ（軸部）が６枚の絞り羽根２６に対応して光軸を中心とした円周上に等間隔に６か所設けられる。つまり、曲面部２７ａには複数の回転軸２７ａが形成され、該複数の回転軸２７ａは、互いに同じ方向に延びるように形成されている。さらに換言すれば、回転軸２７ａは、曲面部２７ｂが有する曲面（球面）の法線方向とは異なる方向に延びている。
【００２４】
ここで、１枚の絞り羽根２６に注目し、曲面形状を有する絞り羽根２６が曲面部２７ｂの上を移動する様子について図７を用いて説明する。図７では曲面形状を有する絞り羽根２６と曲面部２７ｂとの関係を概念的に表している。図７において、７１は曲面部２７ｂと同じ中心でかつ同じ半径である曲面（球面）を表す。絞り羽根２６は、この球面７１の形状に沿って球面７１上を移動するものとする。なお、絞り羽根２６の作動のためには球面７１との隙間が必要である。そのため球面７１の半径（換言すれば、曲面部２７ｂの半径）は、絞り羽根２６の曲面部の半径よりも隙間を設ける分だけ、例えば０．２ｍｍ程度、小さくなっている。
【００２５】
７２は絞り羽根２６が形成する開口の中心７２ａと球面７１（すなわち、曲面部２７ｂの曲面）の中心７１ａとを通る光軸である。７３は光軸と所定の角度を持って交差する中心軸をもつ仮想的な軸である。ここで、仮想的な軸７３の中心軸が延びる方向は、球面７１の法線方向と同じである。つまり、仮想的な軸７３は、球面７１の法線方向に延びている。この仮想的な軸７３と絞り羽根２６の回転穴２６ａとが係合することにより、絞り羽根２６は仮想的な軸７３を中心として、球面７１に沿って回転することができる。仮想的な軸７３は絞り羽根２６の枚数と同じだけ、本実施例の場合は６個、配置されるが、それぞれの軸の中心軸は光軸７２の１点で互いに交差するとともに、光軸７２とは全て同じ所定角度をなす。これにより、全ての絞り羽根２６は、球面７１に沿ってそれぞれの仮想的な軸７３を中心として回転可能に支持される。しかしながら、この仮想的な軸７３では、特許文献１の回転軸のように、球面７１の法線方向に延びるため、上述した光量調整装置の製造が困難になる問題がある。
【００２６】
そこで、本実施例では、この仮想的な軸７３を以下で説明する回転軸２７ａのように変更している。
【００２７】
図８を用いて、仮想的な軸７３と本実施例の回転軸２７ａとを比較しながら、仮想的な軸７３と本実施例の回転軸２７ａとの関係について説明する。図８は仮想的な軸７３の中心軸と光軸７２を含む平面における図７の断面図である。図８において、８１は仮想的な軸７３と絞り羽根２６の回転穴２６ａが嵌合している個所を、仮想的な軸７３の中心軸を延ばした方向から見た時の断面（投影形状）である。投影形状８１は回転穴２６ａと同軸で、同一の径の円形状をなす。ここで、同一とは、製造誤差のずれや作動上の隙間などを含む略同一とみなせる概念である。また、円形とは、完全な円の形状のみならず、製造誤差等による略円形を含む概念である。一方、８２は本実施例の回転軸２７ａと絞り羽根２６の回転穴２６ａが嵌合している個所を、回転軸２７ａの中心軸を延ばした方向（すなわち、光軸方向）から見た時の断面（投影形状）である。換言すれば、投影形状８２は、回転軸２７ａの光軸直交方向の断面形状である。投影形状８２は、投影形状８１と異なり楕円形状をなし、その長径は投影形状８１の直径（換言すれば、回転穴２６ａの直径）と等しく、同一となる。なお、ここでいう楕円とは、完全な楕円のみならず、製造誤差等による略楕円を含む概念である。投影形状８２の短径は、光軸７２と仮想的な軸７３の中心軸（換言すれば、回転穴２６ａの中心をとおり、球面７１（曲面部２７ｂ）の法線方向に延びる中心軸）とが成す角度をＡとしたときに、長径にｃｏｓＡを乗じた寸法になる。ただし、実際には作動上の遊びの確保や、絞り羽根２６の厚さを考慮した回転軸２７ａの細径化が必要である。
【００２８】
図９は図８のＢ部の拡大図である。寸法Ｃは絞り羽根２６の回転穴２６ａの直径によって求められる短径の寸法であり、前述の長径にｃｏｓＡを乗じた寸法である。しかし、実際には絞り羽根２６は材料の厚さがあるため、絞り羽根２６の厚さによる寸法Ｄを考慮し、最低でも短径を寸法Ｅ未満に設定する。寸法Ｅは、寸法Ｃから寸法Ｄを差し引いた寸法である。ここで、寸法Ｄは、絞り羽根２６の法線方向の厚みｔにｓｉｎＡを乗じた寸法である。この寸法Ｅに作動上の遊びを加えた、寸法Ｅより小さい寸法が実際の短径となる。つまり、回転軸２７ａの投影形状８２は、絞り羽根２６の回転穴２６ａを光軸方向へ投影した形状に対応する形状（投影した形状よりも短径方向の幅が狭い形状）を有する。
【００２９】
このように、本実施例の回転軸２７ａは、光軸方向に延びる楕円柱形状を有する。回転軸２７ａは、光軸方向への投影形状を楕円形状にすることにより、仮想的な軸７３の中心軸を延ばした方向から見た時の断面形状は円形となる。これにより、絞り羽根２６が仮想的な軸７３に嵌合するのと同様の嵌合状態を回転軸２７ａにおいても再現することができる。
【００３０】
図５および図６に戻って、絞り羽根２６の被写体側には絞り羽根２６の曲面形状に対応して、該曲面形状に近似した曲面形状を有する絞りカバー２８が設けられる。具体的に、絞りカバー２８は、絞り羽根２６が有する曲面形状の半径よりも少しだけ大きい半径の曲面部２８ａを有する部材である。そして、絞りカバー２８は、絞り羽根２６の上に覆い被さり、かつ、曲面部２８ａが曲面部２７ｂと同心になるように絞り地板２７に対して取り付けられる。これにより、曲面部２７ｂと曲面部２８ａの２つの曲面に囲まれた、絞り羽根２６の作動空間が構成される。なお、曲面部２８ａの半径と絞り羽根２６の曲面形状の半径との差がそれぞれの部品の隙間となる。そこで、曲面部２８ａの半径は、絞り羽根２６の曲面形状の半径よりも、例えば０．２ｍｍ程度大きくなっている。また、絞りカバー２８には撮影レンズの開放絞りとなる、円形状の絞り開口２８ｂが設けられる。
【００３１】
２９は絞り地板２７に対して、光軸回りに回転可能に支持され、後述するように絞り羽根２６に係合して、絞り開口を変化させる風車である。風車２９には、絞り羽根２６を搭載し、曲面部２７ｂと同一の中心を光軸上に有するとともに、絞り羽根２６の曲面形状の半径よりも小さく、曲面部２７ｂと同一の半径の曲面部２９ａが形成されている。曲面部２９ａには光軸を中心とした円周上に等間隔に、光軸方向に延びる６本の駆動ピン２９ｂ（軸部）が設けられている。この６本の駆動ピン２９ｂの形状も、上述した回転軸２７ａと同一形状、または、相似した形状を有している。一方、絞り羽根２６にはカム穴２６ｂ（穴部）が設けられており、駆動ピン２９ｂがカム穴２６ｂに係合するよう構成される。本実施例においてカム穴２６ｂは、一定の幅を有する長穴であり、該幅は回転穴２６ａの直径と同一の幅を有している。駆動ピン２９ｂは光軸回りに等間隔に配置されているので、６枚の絞り羽根２６はそれぞれ光軸を中心として点対称に配置される。また、６枚の絞り羽根２６は、光軸を被写体側から見て時計回り方向へ行くに従い、常に前の羽根の上に乗るような繰返し構造としている。なお、風車２９は、風車２９の像面側に設けられ、絞り地板２７に取り付けられる風車カバー３０により、光軸方向に対して所定の遊びを有して保持される。
【００３２】
風車２９には光軸を中心とした歯車２９ｃが設けられている。３１は入力パルスに応じて、出力軸を所定角度回転させるステップモータであるところの絞りモータである。絞りモータ３１はビス３１ａにより絞り地板２７の取り付け面２７ｄに固設される。また、絞りモータ３１の光軸に平行な出力軸には小歯車３１ｂが圧入されている。この小歯車３１ｂは風車２９の歯車２９ｃに歯合するよう構成され、絞りモータ３１によって風車２９を回転駆動することができる。なお、前述のとおり、絞りモータ３１は撮像装置のコントロールユニットにフレキシブルプリント基板を介して電気的に接続されている。これにより絞りモータ３１を所望の量だけ駆動することができる。
【００３３】
光軸を中心とした風車２９の絞り地板２７に対する回転により、回転軸２７ａと駆動ピン２９ｂが相対移動し、回転軸２７ａと駆動ピン２９ｂの間隔が変化する。一方、絞り羽根２６は、回転穴２６ａが回転軸２７ａに嵌合するとともに、カム穴２６ｂに対して駆動ピン２９ｂがカム係合する。したがって、駆動ピン２９ｂの位置、ひいては風車２９の回転位置に応じて、絞り開口２８ｂ内に絞り羽根２６が突出してくる量を一意的に決定することができる。例えば、本実施例では、風車２９の所定角度の回転により、６枚の絞り羽根２６によって作られる絞り開口が１段づつ変化するようなカム軌跡のカム穴２６ｂとしている。これにより、絞りモータ３１のステップ駆動量と絞り開口のＡｖ値（ａｐｅｒｔｕｒｅ ｖａｌｕｅ）の変化を比例させることができる。
【００３４】
絞りユニット２４は後段（像面側）にある２群ホルダ２２に取り付けられる。２２ａは２群ホルダ２２から光軸方向へ延長した２本で一組の位置決め用のダボである。２７ｃは絞り地板２７に設けられたダボ２２ａが嵌合する２つで一組の嵌合穴である。ダボ２２ａと嵌合穴２７ｃが嵌合することで、絞り地板２７に対する絞りユニット２４の光軸直交方向の位置決めが行われる。絞りユニット２４と２群レンズ２１は光学性能の劣化を防止するためにできるだけ同軸に配置することが望ましい。そのため、ダボ２２ａは光軸方向へ延長している必要がある。位置決めが完了すると、ビス２５を絞り地板２７に設けられた貫通孔２７ｅを介して２群ホルダ２２の穴部２２ｂに締結することで、絞りユニット２４を絞り地板２７に固定する。ビス２５の締め付け方向は光軸と平行であり、これにより、締め付けによる絞りユニット２４の光軸と直交する方向のずれを防止できる。
【００３５】
以上説明したように、本実施例の絞り地板２７は穴や軸などの形状が光軸に平行に設けられているため、絞り地板２７を製作する場合に光軸方向の１軸のみによる加工が可能である。つまり、絞り地板２７が金型によるモールド成形部品であっても、金型を製作するときに１軸のみで加工が可能であり、いわゆるスライド型は不要となり、加工難易度は一般的な絞り地板と同じものとなる。また、絞りユニット２４の組立時には各部品やビスを１方向（光軸方向）から組み込めばよく、組立性を損なうことがない。さらに、絞り地板２７は１方向からのみの加工で製作できるので、取り付け面２７ｄの配置が回転軸２７ａによって制約を受けることがなく、絞りモータ３１の設置個所に強い制約を受けることはない。
【００３６】
このように、本発明は、曲面形状を有する絞り羽根やシャッター羽根のような羽根部材が光軸と平行でない軸を中心軸として回転することで撮像面に入射する光量を調整可能な光量調整装置を有するレンズ鏡筒において、以下に示す特徴を有する。絞り地板２７に設けられ羽根部材の回転中心軸を有する穴部と係合する回転軸は光軸方向に延びており、該回転軸の光軸直交方向の断面形状は、該穴部を光軸方向へ投影した形状に基づく形状であることを特徴とする。すなわち、絞り地板２７には、羽根部材の回転中心をもつ円形の穴を光軸方向に投影した楕円形状を断面形状とする光軸方向へ延長した回転軸を有する。該回転軸を有することで、光軸方向へ延長した回転軸でありながら、光軸から傾いた回転軸に嵌合するのと同様の嵌合状態を実現でき、加工の難易度を上げることなく、また、設計自由度を損なうことなく絞り地板を製作することができる。つまり、絞り地板などを含む光量調整装置の製造を容易にすることができる。
【００３７】
なお、本実施例では６枚の絞り羽根を連動させて１つの絞りを作るいわゆる虹彩絞りであるが、絞り羽根の枚数は１枚でも２枚以上でも構わない。また、本実施例では、絞り羽根を有する絞り装置を例に説明したが、絞り羽根ではなくシャッター羽根を有するシャッター装置であっても本発明を適用することができる。さらには、本実施例では、絞り地板２７の回転軸２７ａは光軸に平行であるが、複数の回転軸２７ａ同士が平行であれば光軸に平行でなくても構わない。例えば、複数の回転軸２７ａのうち一部（例えば、２つの回転軸２７ａ）が互いに同一方向に延びていれば、従来よりもスライド型の数を減らすことができ、その結果、金型の構造が簡単になることから光量調整装置の製造を容易にすることができる。
（その他の実施形態）
図１０は、本発明のレンズ鏡筒（光学機器）を備えたカメラ（撮像装置）１の斜視図である。図１０に示すように、カメラ１は、カメラ筐体２とレンズ鏡筒３を有する。レンズ鏡筒３は、上述の第１の実施例で説明したレンズ鏡筒であり、撮影時にカメラ筐体２の前面から繰り出し（突出し）、収納時にカメラ筐体２に繰り込む（沈胴する）沈胴式のレンズ鏡筒である。このカメラ１は、カメラ筐体２の内部に、不図示の変倍機構、絞り機構、フォーカス機構などを含む各種の構成部材が収納されている。
【産業上の利用可能性】
【００３８】
本発明は、コンパクトデジタルカメラ、一眼レフカメラ、ビデオカメラなどの撮像装置に搭載された光量調節装置に好適に利用できる。
【符号の説明】
【００３９】
２４‥‥絞りユニット
２６‥‥絞り羽根
２７‥‥絞り地板
２７ａ‥‥回転軸
【図１】
2015072419.tif 000003
【図２】
2015072419.tif 000004
【図３】
2015072419.tif 000005
【図４】
2015072419.tif 000006
【図５】
2015072419.tif 000007
【図６】
2015072419.tif 000008
【図７】
2015072419.tif 000009
【図８】
2015072419.tif 000010
【図９】
2015072419.tif 000011
【図１０】
2015072419.tif 000012